(57)【特許請求の範囲】
【請求項１】
浴室、トイレ、玄関または洗面所等立ち上がったりかがんだりする場所に設置され、かがむときは手すりの上部側の立ち上がる部分や本質的に水平な部分を握り、上部側から段々と握る部分を下部側へ移動させながら斜め後方にかがみ、立ち上がるときは、腕を伸ばさずに握りやすい位置にある立ち上がる部分や本質的に水平な部分を握ってから体を引き寄せて立ち上がれる様にして握力が弱っている高齢者や障害者等でも握りやすく、手が滑りにくいようにした手すりであって、
一方向に湾曲した部分と当該湾曲した部分と反対方向に湾曲した部分とを交互に有するよう形成され、隣り合う軸線方向の開き角度は90°〜130°であり、長さ方向が斜めになるよう設置したとき、一方向に湾曲した部分と当該湾曲した部分と反対方向に湾曲した部分によって本質的に水平な部分と立ち上がる部分とが形成され、上記水平な部分は、上部側と、下部側と、上部側と下部側の間の三箇所に位置し、立ち上がる部分は上記水平な部分の間に位置していることを特徴とする、
手すり。
【請求項２】
湾曲した部分の間に直線部を有することを特徴とする、
請求項１記載の手すり。
【請求項３】
浴室、トイレ、玄関または洗面所等立ち上がったりかがんだりする場所に設置され、かがむときは手すりの上部側の立ち上がる部分や本質的に水平な部分を握り、上部側から段々と握る部分を下部側へ移動させながら斜め後方にかがみ、立ち上がるときは、腕を伸ばさずに握りやすい位置にある立ち上がる部分や本質的に水平な部分を握ってから体を引き寄せて立ち上がれる様にして握力が弱っている高齢者や障害者等でも握りやすく、手が滑りにくいようにした手すりの取付構造であって、
一方向に湾曲した部分と当該湾曲した部分と反対方向に湾曲した部分とを交互に有するよう形成され、隣り合う軸線方向の開き角度は90°〜130°であり、長さ方向が斜めになるよう設置したとき、一方向に湾曲した部分と当該湾曲した部分と反対方向に湾曲した部分によって本質的に水平な部分と立ち上がる部分とが形成され、上記水平な部分は、上部側と、下部側と、上部側と下部側の間の三箇所に位置し、立ち上がる部分は上記水平な部分の間に位置しており、
一方向に湾曲した部分と当該湾曲した部分と反対方向に湾曲した部分によって本質的に水平な部分と立ち上がる部分とが形成されるよう長さ方向が斜めになるよう設置してあることを特徴とする、
手すりの取付構造。
【発明の詳細な説明】
【０００１】
【発明の属する技術分野】
本発明は、浴室、トイレ、玄関または洗面所等立ち上がったりかがんだりする場所に設置される手すり及び手すりの取付構造に関する。更に詳しくは、握力が弱っている高齢者や障害者等でも握りやすく、手が滑りにくいようにした手すり及び手すりの取付構造に関する。また、腕を伸ばさずとも立ち上がりや腰掛けの動作の補助ができる手すり及び手すりの取付構造に関する。
【０００２】
【従来技術】
近年の建築物には、浴室やトイレ、玄関等、バリアフリーの観点から、体の支えが必要とされる場所には手すりが設けられている。従来の手すりは、直線状のものや、直線状のものを組み合わせてＬ字状に形成した等が一般的である。
【０００３】
【発明が解決しようとする課題】
通常、手すりは、体の脇や少し前方の部分にて、手首を曲げて手のひらを手すりの上面に沿わせた状態で握られる。しかし、この握り方は力が入れにくかった。そのため握力が弱っている高齢者や障害者等では、十分に握ることができず、手を滑らせてしまい転倒してしまう危険があった。
【０００４】
また、従来からある、例えば、浴室やトイレ、玄関等に設けてある直線状の手すりには、次のような課題があった。
浴室やトイレ、玄関等に設けてある手すりは、大体において縦方向に延びた部分を備えており、この部分を握って立ち上がったり腰掛けたりする。これによると、例えば、腰掛ける場合には、手すりを握り腰を落として斜め後方にかがむようにするが、かがむにつれて段々と腕が伸びた状態となって支えきれなくなり、手が離れて勢いで臀部を床等に打ち付ける危険があった。また、立ち上がる場合には、腰掛けの手順と反対に、腕を伸ばして手すりを握り、そのまま体を引き寄せるようにするが、伸びきった状態の腕で体を引き寄せることは困難であった。
なお、直線状のものを斜めに設けることにより、立ち上がりや腰掛けの際に、腕を伸ばさなくても良いようにもできるが、この場合では、力を入れて握ることができず、余計に危険である。
【０００５】
本発明の目的は、握力が弱っている高齢者や障害者等でも握りやすく、手が滑りにくいようにした、浴室、トイレ、玄関または洗面所等立ち上がったりかがんだりする場所に設置される手すり及び手すりの取付構造を提供することにある。
また、本発明の他の目的は、腕を伸ばさずとも立ち上がりや腰掛けの動作の補助ができる、浴室、トイレ、玄関または洗面所等立ち上がったりかがんだりする場所に設置される手すり及び手すりの取付構造を提供することにある。
【０００６】
【課題を解決するための手段】
上記目的を達成するために講じた本発明の手段は次のとおりである。
第１の発明にあっては、
浴室、トイレ、玄関または洗面所等立ち上がったりかがんだりする場所に設置され、かがむときは手すりの上部側の立ち上がる部分や本質的に水平な部分を握り、上部側から段々と握る部分を下部側へ移動させながら斜め後方にかがみ、立ち上がるときは、腕を伸ばさずに握りやすい位置にある立ち上がる部分や本質的に水平な部分を握ってから体を引き寄せて立ち上がれる様にして握力が弱っている高齢者や障害者等でも握りやすく、手が滑りにくいようにした手すりであって、
一方向に湾曲した部分と当該湾曲した部分と反対方向に湾曲した部分とを交互に有するよう形成され、隣り合う軸線方向の開き角度は90°〜130°であり、長さ方向が斜めになるよう設置したとき、一方向に湾曲した部分と当該湾曲した部分と反対方向に湾曲した部分によって本質的に水平な部分と立ち上がる部分とが形成され、上記水平な部分は、上部側と、下部側と、上部側と下部側の間の三箇所に位置し、立ち上がる部分は上記水平な部分の間に位置していることを特徴とする、
手すりである。
【０００７】
第２の発明にあっては、
湾曲した部分の間に直線部を有することを特徴とする、
第１の発明に係る手すりである。
【０００８】
第３の発明にあっては、
浴室、トイレ、玄関または洗面所等立ち上がったりかがんだりする場所に設置され、かがむときは手すりの上部側の立ち上がる部分や本質的に水平な部分を握り、上部側から段々と握る部分を下部側へ移動させながら斜め後方にかがみ、立ち上がるときは、腕を伸ばさずに握りやすい位置にある立ち上がる部分や本質的に水平な部分を握ってから体を引き寄せて立ち上がれる様にして握力が弱っている高齢者や障害者等でも握りやすく、手が滑りにくいようにした手すりの取付構造であって、
一方向に湾曲した部分と当該湾曲した部分と反対方向に湾曲した部分とを交互に有するよう形成され、隣り合う軸線方向の開き角度は90°〜130°であり、長さ方向が斜めになるよう設置したとき、一方向に湾曲した部分と当該湾曲した部分と反対方向に湾曲した部分によって本質的に水平な部分と立ち上がる部分とが形成され、上記水平な部分は、上部側と、下部側と、上部側と下部側の間の三箇所に位置し、立ち上がる部分は上記水平な部分の間に位置しており、
一方向に湾曲した部分と当該湾曲した部分と反対方向に湾曲した部分によって本質的に水平な部分と立ち上がる部分とが形成されるよう長さ方向が斜めになるよう設置してあることを特徴とする、
手すりの取付構造である。
【０００９】
本発明でいう「本質的に水平」という用語は、厳密な意味での水平ではなく水平に近い斜めも含むものとして使用している。
【００１０】
（作  用）
本発明に係る手すりをトイレの壁面に斜めに設けた場合を例にとって説明する。
本発明に係る手すりによれば、トイレの壁面に斜めに設けることで、一方向に湾曲した部分と、当該湾曲した部分と反対方向に湾曲した部分によって、本質的に水平な部分（水平方向と水平方向よりやや斜め方向に延びるものも含む）と、立ち上がる部分（垂直方向と垂直方向よりやや斜め方向に延びるものも含む）とが形成される。
【００１１】
便座に腰掛ける場合は、まず、手すりの上部側の立ち上がる部分や本質的に水平な部分を握る。そして、上部側から段々と握る部分を下部側へ移動させながら斜め後方にかがむ。このように手すりの握る位置を変えながらかがむことにより、かがむ際において腕が伸びず、手が手すりから離れ難くなる。
【００１２】
便座から立ち上がる場合は、腕を伸ばさずに握りやすい位置にある立ち上がる部分や本質的に水平な部分を握ってから体を引き寄せれば良い。これにより立ち上がりが容易にできる。
【００１３】
また、握った手が滑って手すりに沿って移動した場合では、湾曲した部分が抵抗となって手を止めることができる。
【００１４】
少なくとも一端部に直線部を有するものは、例えば、直線部が便座の略真横に配置されるように手すりをトイレに設けた場合では、直線部を握ったままかがんで便座に腰掛けることができる。また、直線部を握って腕を伸ばすことで、体を上方に押し上げるようにして立ち上がることができる。
【００１５】
湾曲した部分の間に直線部を有するものは、立ち上がる部分や本質的に水平な部分に湾曲していない直線状の部分が形成される。直線状の部分の方は湾曲した部分よりも握りやすいので、直線部を握ることにより手が更に滑りにくい。
【００１６】
【発明の実施の形態】
本発明の実施の形態を図面に基づき更に詳細に説明する。
図１は本発明に係る手すりの第１の実施の形態を示す正面図、
図２は図１に示す手すりの平面図である。
【００１７】
符号Ｔ３は手すりを示している。手すりＴ３は、手すり本体１ｂと、両端に設けられた取着金具２ｂと、手すり本体１ｂの両端に設けられたキャップ体３を備えている。
【００１８】
手すり本体１ｂは、所要径を有する丸棒状体（中実体）を、平面視において直線状に、図１に示すように正面視において本質的に正弦曲線状または余弦曲線状に湾曲させて形成してある。
【００１９】
手すり本体１ｂの形状について、更に詳しく説明する。
手すり本体１ｂは、一方向に湾曲した湾曲部１０と、この部分と反対方向に湾曲した湾曲部１１とを交互に連続して、いわば上側と下側が湾曲した波形状に形成してある。なお、湾曲部１０と湾曲部１１の境界は、軸心を通る軸線の曲線状から直線状となる位置と直交する一点鎖線で示している（図１ないし後述する図９）。
【００２０】
また、湾曲部１０と湾曲部１１は、湾曲部１０の境界を示す一点鎖線上の軸心位置から、前記一点鎖線と直交する方向に延びる直線の軸線ア（ウ）と、湾曲部１１の境界を示す一点鎖線上の軸心位置から、前記一点鎖線と直交する方向に延びる直線の軸線イ（エ）とが、同軸線上になるように設けてある。
【００２１】
更に、この軸線ア、イと、隣り合う軸線ウ、エは、鈍角の開き角度１３で交差させてある（図１参照）。なお、軸線ア、イ、ウ、エは一点鎖線で示している（図１ないし後述する図９）。手すり本体１ｂは、硬質の合成樹脂で形成してある。
【００２２】
取着金具２ｂは、手すり本体１ｂの側部に取り付けられる受け部２０ｂと、壁面５に取り付けられる取着部２１ｂと、Ｉ字形状に形成してあり、受け部２０ｂと取着部２１ｂとの間に設けてあるブラケット部２２ｂを備えている。取着金具２ｂは金属で形成してあるものを使用したが、例えば、合成樹脂でつくられたものを使用することもできる。
【００２３】
キャップ体３は、内径が手すり本体１の外径よりもやや大きな径を有する、有底筒状に形成してある。キャップ体３はやや柔軟性を有する合成樹脂で形成してある。しかし、キャップ体を形成する材料は、これに限定するものではなく、例えば、金属でつくることもできる。
【００２４】
本実施の形態で示す手すり本体１ｂは、次の数値を有するように形成してある。外径は略３４ｍｍである。湾曲部１０と湾曲部１１の曲率半径は、略１００ｍｍである。隣り合う軸線方向の開き角度１３は、略９５°である。端から端まで直線で測ったときの全長は、略６００ｍｍである。
【００２５】
図３は図１に示す手すりをトイレに取り付けた状態の一実施例を示す説明図である。
符号Ｋ３は、手すりＴ３を備えたトイレ構造を示している。トイレ構造Ｋ３は、取着金具２ｂによりトイレの壁面５に取り付けてある手すりＴ３を備えている。手すりＴ３は、長さ方向が斜めになるように取り付けてあり、湾曲部１０と湾曲部１１のうち横方向に延びる部分が、略水平な状態になるようにして設けてある。また、手すりＴ３は、使用者が便座に腰掛けた状態で手が届く位置に取り付けてある。
【００２６】
（作  用）
図１ないし図３を参照して本発明の実施の形態の作用を説明する。
手すりＴ３は、便座から立ち上がったり便座に腰掛けたりするときに握って使用される。
例えば、便座に腰掛ける場合は、手すりＴ３の上部側の横方向に延びる部分や縦方向に延びる部分を握る。そして、上部側から段々と握る部分を下部側へ移動させながら斜め後方にかがむ。このように手すりの握る位置を変えながらかがむことにより、かがむ際において腕が伸びず、手が手すりから離れ難くなる。従って、手が離れることで臀部等を打ち付けたりする危険が少ない。
【００２７】
また、便座から立ち上がる場合は、腕を伸ばさずに握りやすい位置にある横方向に延びる部分や縦方向に延びる部分を握って、体を引き寄せれば良いので、立ち上がりが容易にできる。
【００２８】
更に、手すりＴ３は、握った手が滑って手すりＴ３に沿って移動した場合でも、湾曲した部分が抵抗となって手を止めることができる。
【００２９】
本実施の形態で手すりＴ３は、長さ方向が斜めになるように壁面５に取り付けたが、手すりＴ３を取り付ける状態は、これに限定するものではなく、例えば、長さ方向が、横向きになるように、また縦向きになるように設けることもできる。
【００３０】
図４は本発明に係る手すりの第２の実施の形態を示す正面図、
図５は図４に示す手すりの平面図である。
なお、図４及び図５において、上記図１ないし図３で示したものと同一または同等箇所には同一の符号を付して示している。また、以下の説明において構造について上記で示した箇所と重複する説明は省略する。
【００３１】
符号Ｔ４は手すりを示している。手すりＴ４は、手すり本体１ｃと、両端に設けられた取着金具２ｃと、手すり本体１ｃの直線部１５ｃ（後述）に設けられた取着金具２を備えている。取着金具２は、手すり本体１の下側を受けるように取り付けられる受け部２０と、壁面に取り付けられる取着部２１と、Ｌ字形状に形成してあり、受け部２０と取着部２１との間に設けてあるブラケット部２２を備えている。
【００３２】
手すり本体１ｃの一端部には、湾曲部１０から延びるようにして直線部１４ｃが設けてあり、他端部には湾曲部１１から延びるようにして直線部１５ｃが設けてある。直線部１４ｃと直線部１５ｃは、水平方向に略平行になるように形成してある。取着金具２は、直線部１５ｃの湾曲部１１寄りの箇所に設けてある。
【００３３】
取着金具２ｃは、手すり本体１ｃの端部に被さるキャップ部を備え、Ｌ字形状に形成してあるブラケット部２０ｃと、壁面に取り付けられる取着部２１ｃを備えている。
【００３４】
本実施の形態で示す手すり本体１ｃは、次の数値を有するように形成してある。外径は略３２ｍｍである。湾曲部１０と湾曲部１１の曲率半径は、略１１０ｍｍである。直線部１４ｃの長さは、略１００ｍｍである。直線部１５ｃの長さは、略３００ｍｍである。隣り合う軸線方向の開き角度１３は、略１１０°である。
【００３５】
図６は図４に示す手すりをトイレに取り付けた状態の一実施例を示す説明図である。
符号Ｋ４は、手すりＴ４を備えたトイレ構造を示している。トイレ構造Ｋ４は、取着金具２，２ｃによりトイレの壁面５に取り付けてある手すりＴ４を備えている。手すりＴ４は、湾曲部１０と湾曲部１１のうち横方向に延びる部分及び直線部１４ｃ，１５ｃが、略水平な状態になるように設けてある。また、手すりＴ４は、使用者が便座に腰掛けた状態で、略真横に直線部１５ｃが配置されるように取り付けてある。
【００３６】
（作  用）
図４ないし図６を参照して本発明の実施の形態の作用を説明する。
なお、上記したトイレ構造Ｋ３と共通する構成により生じる同様の作用、効果については説明を省略し、相違する点についてのみ説明する。
【００３７】
手すりＴ４は、便座から立ち上がったり便座に腰掛けたりするときに握って使用される。手すりＴ４は、便座の略真横に直線部１５ｃが配置されるように設けてあるので、直線部１５ｃを握ったままかがんで便座に腰掛けることができる。
また、直線部１５ｃを握って腕を伸ばすことで、体を上方に押し上げるようにして立ち上がることもできる。
【００３８】
図７は本発明に係る手すりの第３の実施の形態を示す正面図、
図８は図７に示す手すりの平面図である。
なお、図７及び図８において、上記図１ないし図６で示したものと同一または同等箇所には同一の符号を付して示している。また、以下の説明において構造について上記で示した箇所と重複する説明は省略する。
【００３９】
符号Ｔ６は手すりを示している。手すりＴ６は、手すり本体１ｅと、取着金具２ｅを備えている。
【００４０】
手すり本体１ｅの一端部には湾曲部１０から延びるようにして直線部１４ｅが設けてある。更に直線部１４ｅの端部からは湾曲部１６０を介して下方に延びる支柱部１６が設けてある。また、手すり本体１ｅの他端部には湾曲部１１から延びるようにして直線部１５ｅが設けてある。直線部１４ｅと直線部１５ｅは、水平方向に略平行になるように形成してある。直線部１５ｅの端部からは湾曲部１７０を介して下方に延びる支柱部１７が設けてある。
【００４１】
取着金具２ｅは、支柱部１６，１７を挿通させて下端よりやや上部の位置に取り付けてあり、下端が下方に突出するようにしてある。取着金具２ｅは、円管状の挿通部２０ｅと、床面に取り付けられる取着部２１ｅを備えている。
【００４２】
本実施の形態で示す手すり本体１ｅは、次の数値を有するように形成してある。外径は略３４ｍｍである。湾曲部１０と湾曲部１１の曲率半径は、略１１０ｍｍである。隣り合う軸線方向の開き角度１３は、略１１０°である。直線部１４ｅの長さは、略１５０ｍｍである。直線部１５ｅの長さは、略３００ｍｍである。支柱部１６の長さは、略８００ｍｍである。支柱部１７の長さは、略６００ｍｍである。湾曲部１６０と湾曲部１７０の曲率半径は、略３５ｍｍである。
【００４３】
図９は図７に示す手すりをトイレに取り付けた状態の一実施例を示す説明図である。
符号Ｋ６は、手すりＴ６を備えたトイレ構造を示している。トイレ構造Ｋ６は、手すり本体１ｅの下端をトイレの床面６に差し込み、取着金具２ｅによって取り付けてある手すりＴ６を備えている。手すりＴ６は、湾曲部１０と湾曲部１１のうち横方向に延びる部分及び直線部１４ｅ，１５ｅが、略水平な状態になるようにして設けてある。また、手すりＴ６は、使用者が便座に腰掛けた状態で、略真横に直線部１５ｅが配置されるように取り付けてある。
【００４４】
図７ないし図９を参照して本発明の実施の形態の作用を説明する。
なお、上記したトイレ構造Ｋ３、Ｋ４と共通する構成により生じる同様の作用、効果については説明を省略し、相違する点についてのみ説明する。
【００４５】
手すりＴ６は、便座から立ち上がったり便座に腰掛けたりするときに握って使用される。手すりＴ６は、支柱部１６，１７をトイレの床面６に差し込んで設けてあるので、直線部１５ｅを握ったままかがんだり、直線部１５ｅを握って体を押し上げるようにして立ち上がったりした場合の垂直方向にかかる力に対して、高い強度を有する。
【００４６】
本実施の形態で手すりＴ３，Ｔ４，Ｔ６はトイレに設けた場合を示したが、手すりＴ３，Ｔ４，Ｔ６を設ける場所はこれに限定するものではない。手すりＴ３，Ｔ４，Ｔ６は、例えば、玄関、浴室、洗面所等に設けることもでき、主に、立ち上がったり、かがんだりする場所に適している。
【００４７】
なお、上記した各実施の形態で手すり本体１ｂ，１ｃ，１ｅは、しっかりと握ることができるようにやや細い外径を有するようにしてあるが、手すり本体の外径は特に限定するものではなく、用途や使用される場所によって適宜設定が可能である。例えば、玄関やトイレ等に使用する手すりであれば、３０〜５０ｍｍの間で設定されることが好ましい。更に好ましくは、３０〜４０ｍｍであり、最も好ましくは、３２〜３５ｍｍである。
【００４８】
手すり本体１ｂ，１ｃ，１ｅの形状も丸棒状に限定するものではなく、例えば、略平板状で上面に波形状部があるもの、略三角棒状、略四角棒状、略五角棒状、略六角棒状、それ以上の多角棒状、略楕円棒状、略三角管状、略四角管状、略五角管状、略六角管状、それ以上の多角管状、略円管状、略楕円管状に形成するこもできる。
【００４９】
また、湾曲部の間に直線部を備えていないものについては、直線部を備えることもできる。例えば、玄関やトイレ等に使用する手すりであれば、２００ｍｍ以下の間で設定されることが好ましい。更に好ましくは、１５０ｍｍ以下であり、最も好ましくは、１００ｍｍ以下である。
【００５０】
直線部１４ｃ、１４ｅ、１５ｃ、１５ｅや支持部１６，１７の長さは、特に限定するものではなく、用途や使用される場所によって適宜設定が可能である。
【００５１】
また、開き角度１３も上記した実施の形態で示すものに限定するものではなく、用途や使用される場所によって適宜設定が可能である。なお、上記した実施の形態で示すものは全て鈍角の角度を有するようにしてあるが、これも限定するものではなく、例えば、直角にすることもできるし、またやや鋭角にすることもできる。例えば、玄関やトイレ等に使用する手すりであれば、７０°〜１５０°の間で設定されることが好ましい。更に好ましくは、８０°〜１４０°であり、最も好ましくは、９０°〜１３０°である。
【００５２】
直線で測ったときの全長も上記した実施の形態で示すものに限定するものではなく、用途や使用される場所によって適宜設定が可能である。また、手すりは、所要長さを有する手すり本体を所要本数つないで形成することもできる。
【００５３】
手すり本体１ｂ，１ｃ，１ｅを形成する材料は、特に限定するものではなく、例えば、合成樹脂、木材、金属、陶磁器等で形成できる。
【００５４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能である。
【００５５】
【発明の効果】
本発明は上記構成を備え、次の効果を有する。
（ａ）握力が弱っている高齢者や障害者等でも力を入れた状態で握ることができ、手が手すりから滑りにくい。これにより手を滑らせて転倒等してしまう危険が少ない。また、手すりが握りやすいので、高齢者や障害者等自身において安心感を持つことができる。
【００５６】
（ｂ）浴室やトイレ、玄関、洗面所等において、手すりを斜めに設けた場合では、手すりの上部側の立ち上がる部分や本質的に水平な部分を握り、上部側から段々と握る部分を下部側へ移動させ、手すりの握る位置を変えながら斜め後方にかがむことができる。従って、かがむ際において腕が伸びず、手が手すりから離れ難くなる。これによりかがむ際に手が手すりから離れて臀部等を打ち付けたりする危険が少ない。
また、立ち上がる際は、腕を伸ばさずに握りやすい位置にある立ち上がる部分や本質的に水平な部分を握ってから体を引き寄せれば良いので、立ち上がりも容易である。
更に、握った手が滑っても、滑った手が手すりに沿って移動すれば、手は湾曲した部分が抵抗となって止まり易い。
【００５７】
（ｃ）少なくとも一端部に直線部を有するものは、例えば、直線部が便座の略真横に配置されるように手すりをトイレに設けた場合では、直線部を握ったままかがんで便座に腰掛けることができる。また、直線部を握って腕を伸ばすことで、体を上方に押し上げるようにして立ち上がることができる。
【００５８】
（ｄ）湾曲した部分の間に直線部を有するものは、手首を殆ど曲げずに自然な状態で握ることができるようにしてある立ち上がる部分や本質的に水平な部分に、湾曲した部分よりも握りやすい直線状の部分が形成される。従って、この直線部を握れば、更に手が滑りにくい。
【図面の簡単な説明】
【図１】  本発明に係る手すりの第１の実施の形態を示す正面図。
【図２】  図１に示す手すりの平面図。
【図３】  図１に示す手すりをトイレに取り付けた状態の一実施例を示す説明図。
【図４】  本発明に係る手すりの第２の実施の形態を示す正面図。
【図５】  図４に示す手すりの平面図。
【図６】  図４に示す手すりをトイレに取り付けた状態の一実施例を示す説明図。
【図７】  本発明に係る手すりの第３の実施の形態を示す正面図。
【図８】  図７に示す手すりの平面図。
【図９】  図７に示す手すりをトイレに取り付けた状態の一実施例を示す説明図。
【符号の説明】
Ｔ３、Ｔ４、Ｔ６  手すり
Ｋ３、Ｋ４、Ｋ６  トイレ構造
１ｂ、１ｃ、１ｅ  手すり本体
１０、１１  湾曲部
１２  直線部
１３  開き角度
１４ｃ、１４ｅ  直線部
１５ｃ、１５ｅ  直線部
１６  直線部
１７  直線部
２、２ｂ、２ｃ、２ｅ  取着金具
２０、２０ｂ、２０ｅ  受け部
２０ｃ  ブラケット部
２１、２１ｂ、２１ｃ、２１ｅ  取着部
２２、２２ｂ  ブラケット部
３  キャップ体
【図１】
0003660292.tif 000002
【図２】
0003660292.tif 000003
【図３】
0003660292.tif 000004
【図４】
0003660292.tif 000005
【図５】
0003660292.tif 000006
【図６】
0003660292.tif 000007
【図７】
0003660292.tif 000008
【図８】
0003660292.tif 000009
【図９】
0003660292.tif 000010